(57)【要約】      （修正有）【課題】接続位置でのコネクタ部品間の軸方向の遊びを減らしつつ、接続を確実に構築するコネクタ部品を提供する。【解決手段】嵌め合わせコネクタ部品２に軸方向の予負荷をかけるためのコイルバネが設置される。嵌め合わせコネクタ部品と接続するコネクタ部品１は、ハウジング１０と、嵌め合わせコネクタ部品と差し込み接続するための差し込み部分１００と、嵌め合わせコネクタ部品のカウンタ接触要素２１と接触する少なくとも１つの接触要素１２と、コネクタ部品が接続された位置で嵌め合わせコネクタ部品と係止する係止要素１５と、を含む。【選択図】図２Ａ
0003219563.tif 000002
【実用新案登録請求の範囲】
【請求項１】
嵌め合わせコネクタ部品（２）と接続するためのコネクタ部品（１）であって、ハウジング（１０）と、差し込み方向（Ｓ）に前記嵌め合わせコネクタ部品（２）と差し込み接続するための、前記ハウジング（１０）に設けられた差し込み部分（１００）と、前記嵌め合わせコネクタ部品（２）の付設されたカウンタ接触要素（２１）と接触するための、前記差し込み部分（１００）に設けられた少なくとも１つの接触要素（１２）と、前記コネクタ部品（１）が前記嵌め合わせコネクタ部品（２）と接続された位置で前記嵌め合わせコネクタ部品（２）と係止するための、前記ハウジング（１０）に設けられた係止要素（１５）と、を有するコネクタ部品（１）において、前記差し込み方向（Ｓ）とは逆に前記嵌め合わせコネクタ部品（２）に対して軸方向に前記ハウジング（１０）に予負荷をかけるために、前記コネクタ部品（１）が前記嵌め合わせコネクタ部品（２）と接続された位置で前記嵌め合わせコネクタ部品（２）に作用するための、前記ハウジング（１０）に設けられたコイルバネ（１４）を備えることを特徴とするコネクタ部品（１）。
【請求項２】
前記コイルバネ（１４）は、前記ハウジング（１０）と前記差し込み部分（１００）との間に形成された空間（１０２）内で、前記差し込み部分（１００）の半径方向外側に設けられていることを特徴とする請求項１に記載のコネクタ部品（１）。
【請求項３】
前記コイルバネ（１４）は、前記差し込み部分（１００）を広範囲にわたって取り巻いていることを特徴とする請求項１あるいは２に記載のコネクタ部品（１）。
【請求項４】
前記コイルバネ（１４）は、前記コネクタ部品（１）と前記嵌め合わせコネクタ部品（２）との間の接続を構築するために、密着するまで負荷印加可能であることを特徴とする請求項１から３のいずれか１項に記載のコネクタ部品（１）。
【請求項５】
前記コイルバネ（１４）は、前記ハウジング（１０）の支持部分（１０３）に軸方向に支持されていることを特徴とする請求項１から４のいずれか１項に記載のコネクタ部品（１）。
【請求項６】
前記コイルバネ（１４）は、前記嵌め合わせコネクタ部品（２）の差し込み部分（２００）の端面（２０２）に作用するように形成されていることを特徴とする請求項１から５のいずれか１項に記載のコネクタ部品（１）。
【請求項７】
前記コイルバネ（１４）は、予負荷によって前記係止要素（１５）を前記嵌め合わせコネクタ部品（２）と軸方向に圧力をかけて当接させるように形成されていることを特徴とする請求項１から６のいずれか１項に記載のコネクタ部品（１）。
【請求項８】
前記ハウジング（１０）と前記コイルバネ（１４）は導電材料から成っているので、前記コイルバネ（１４）は、前記嵌め合わせコネクタ部品（２）と電気接触するためのシールド接触を形成することを特徴とする請求項１から７のいずれか１項に記載のコネクタ部品（１）。
【請求項９】
前記係止要素（１５）は導電材料から成ることを特徴とする請求項１から８のいずれか１項に記載のコネクタ部品（１）。
【請求項１０】
前記係止要素（１５）は、前記差し込み部分（１００）周りにリング状に延伸するバネ要素として形成されていることを特徴とする請求項１から９のいずれか１項に記載のコネクタ部品（１）。
【請求項１１】
前記コネクタ部品（１）が前記嵌め合わせコネクタ部品（２）と接続された位置で、前記ハウジング（１０）と前記嵌め合わせコネクタ部品（２）との間の移行部を密閉するためのシーリング要素（１３）が、前記ハウジング（１０）に設けられていることを特徴とする請求項１から１０のいずれか１項に記載のコネクタ部品（１）。
【請求項１２】
前記コネクタ部品（１）を前記嵌め合わせコネクタ部品（２）から切り離すため、前記係止要素（１５）に作用するための、前記ハウジング（１０）に可動式に設けられた操作要素（１１）を備えることを特徴とする請求項１から１１のいずれか１項に記載のコネクタ部品（１）。
【請求項１３】
前記操作要素（１１）は、前記差し込み方向（Ｓ）とは逆向きの操作方向（Ｂ）で、前記ハウジング（１０）に対して可動であって、前記嵌め合わせコネクタ部品（２）と前記コネクタ部品（１）との係止を解除するために前記係止要素（１５）に作用することを特徴とする請求項１２に記載のコネクタ部品（１）。
【請求項１４】
請求項１から１３のいずれか１項に記載のコネクタ部品（１）と、コネクタ部品（１）と接続するための嵌め合わせコネクタ部品（２）と、を有するアセンブリ。
【考案の詳細な説明】
【技術分野】
【０００１】
本考案は、請求項１のおいて書き部に記載の嵌め合わせコネクタ部品と接続するためのコネクタ部品に関する。
【背景技術】
【０００２】
そのようなコネクタ部品は、ハウジングと、差し込み方向に嵌め合わせコネクタ部品と差し込み接続するための、ハウジングに設けられた差し込み部分と、嵌め合わせコネクタ部品の付設されたカウンタ接触要素と接触するための、差し込み部分に設けられた少なくとも１つの接触要素と、コネクタ部品が嵌め合わせコネクタ部品と接続された位置で嵌め合わせコネクタ部品と係止するための、ハウジングに設けられた係止要素と、を含む。
【０００３】
そのようなコネクタ部品は、特許文献１に記述されているように、たとえばいわゆるプッシュプルコネクタとして形成されていてよい。そのようなコネクタ部品は、嵌め合わせコネクタ部品と接続された位置で嵌め合わせコネクタ部品と係止するために、差し込み方向に、付設された嵌め合わせコネクタ部品に嵌めることができる。このために、コネクタ部品のハウジングには係止要素が設けられており、当該係止要素は、特許文献１から知られるコネクタ部品では、バネ状に弾性のあるバネリングとして形成されており、嵌め合わせコネクタ部品と接続された位置で、嵌め合わせコネクタ部品の付設された係止凹部に係合する。係止を解除するために、コネクタ部品のハウジングにスライド可能に設けられた操作要素を操作でき、それによって係止要素に作用して、嵌め合わせコネクタ部品の係止凹部との係合から係止要素を外す。
【０００４】
特許文献１から知られるコネクタ部品は、嵌め合わせコネクタ部品と接続された位置で、嵌め合わせコネクタ部品とコネクタ部品との間の移行部を防湿して密閉するために使われるシーリング要素を備える。差し込み接続するために、コネクタ部品は差し込み部分によって嵌め合わせコネクタ部品に着設できて、嵌め合わせコネクタ部品の一部分がコネクタ部品の差し込み部分を握持し、差し込み部分とコネクタ部品のハウジングとの間の空間に係合する。その際、嵌め合わせコネクタ部品の一部分は、シーリング要素とも当接するが、当該シーリング要素は、接続構築の際にコネクタ部品と嵌め合わせコネクタ部品との間の摩擦を引き起こし、それによって着設を困難にする。
【０００５】
そのようなコネクタ部品では、嵌め合わせコネクタ部品に着設する際に、接続が安全かつ確実に構築されることが保証されるべきである。使用時に高い荷重、たとえば振動を受けるコネクタ部品では、コネクタ部品と嵌め合わせコネクタ部品との間で係止が構築されていないあるいは完全には構築されていないと、コネクタ部品が再び嵌め合わせコネクタ部品から外れることになりかねない。
【０００６】
その上、特許文献１から知られているように、プッシュプルコネクタではシステムに起因して、接続された位置でコネクタ部品と嵌め合わせコネクタ部品との間に軸方向の遊びが存在し、当該遊びは、係止を構築するために必要であるが、しかし場合によっては、コネクタ部品と嵌め合わせコネクタ部品との間のシールド接触の構築が不確実になりかねない。
【０００７】
特許文献２から知られるコネクタ部品では、スリーブは差し込み部分で、バネ板によって軸方向に予負荷をかけられている。スリーブは、差し込み部分に対して可動であり、コネクタ部品が嵌め合わせコネクタ部品と接続された位置で、嵌め合わせコネクタ部品と作用接続されているので、コネクタ部品はスリーブを介して、嵌め合わせコネクタ部品に向かって軸方向に予負荷をかけられている。コネクタ部品と嵌め合わせコネクタ部品との間の移行部を防湿して密閉するために、スリーブにはシーリング要素が設けられている。
【先行技術文献】
【特許文献】
【０００８】
【特許文献１】欧州特許第１６２９５７３号明細書
【特許文献２】独国特許第１０２０１５１０３１３５号明細書
【考案の概要】
【考案が解決しようとする課題】
【０００９】
本願考案の課題は、接続された位置でのコネクタ部品と嵌め合わせコネクタ部品との間の軸方向の遊びを減らしつつ、嵌め合わせコネクタ部品との接続を確実に構築するのを可能にするコネクタ部品を利用できるようにすることである。
【課題を解決するための手段】
【００１０】
この課題は、請求項１の特徴を有する対象によって解決される。
【００１１】
それによればコネクタ部品は、差し込み方向とは逆に嵌め合わせコネクタ部品に対して軸方向にハウジングに予負荷をかけるために、コネクタ部品が嵌め合わせコネクタ部品と接続された位置で嵌め合わせコネクタ部品に作用するための、ハウジングに設けられたコイルバネを備える。
【００１２】
それゆえコネクタ部品は、嵌め合わせコネクタ部品と接続された位置で、嵌め合わせコネクタ部品に向かって軸方向にコネクタ部品に予負荷をかけるために、コイルバネを用いる。コイルバネはハウジングに設けられており、コネクタ部品と嵌め合わせコネクタ部品との間の接続を構築する際に作用するので、接続構築の際にコイルバネは圧力で圧縮され、それでコイルバネのバネ力とは逆にコネクタ部品は嵌め合わせコネクタ部品に嵌め合わされる。
【００１３】
これには一方で、たとえばコネクタ部品が十分に嵌め合わせコネクタ部品に嵌まっていないので、接続構築の際にコネクタ部品と嵌め合わせコネクタ部品との間で係止が構築されていないあるいは完全には構築されていない場合、コネクタ部品と嵌め合わせコネクタ部品との間の接続が、軸方向の予負荷によって自動的に再び解除されるという利点がある。
【００１４】
その上、接続された位置での軸方向の予負荷によって、コネクタ部品と嵌め合わせコネクタ部品との間の軸方向の遊びがなくなるか、あるいは少なくとも減るかあるいは緩和し、それによってたとえば、コネクタ部品と嵌め合わせコネクタ部品との間のシールド接触の構築にとって有利になり得る。
【００１５】
それにより、接続構築の際にコネクタ部品が嵌め合わせコネクタ部品と係止される（かつさらには係止が完全には構築されていない場合には、コネクタ部品が嵌め合わせコネクタ部品との係合を押し外されることによって、バネ予負荷で接続が自動的に再び解除される）ことが、コイルバネによって保証されるので、コネクタ部品と嵌め合わせコネクタ部品との間の接続を確実に構築できる。接続された位置において、コネクタ部品と嵌め合わせコネクタ部品との間の接続は、軸方向に（極めて大幅に）遊びがなくなるので、コネクタ部品と嵌め合わせコネクタ部品は、たとえばシールド接触を構築するために、あらかじめ決められたように互いに当接し合う。
【００１６】
コイルバネとは、本願では、少なくとも１つの巻き部、好適には軸方向に互いに変位した複数の巻き部を含む、圧力で圧縮可能な螺旋状のバネと理解される。コイルバネは、コネクタ部品と嵌め合わせコネクタ部品との間で作用し、コネクタ部品が嵌め合わせコネクタ部品に嵌まる際に、圧力で圧縮される。
【００１７】
好適にはコイルバネは、ハウジングと差し込み部分との間に形成された空間内で、差し込み部分の半径方向外側に設けられている。ハウジングは、コネクタ部品の差し込み部分を広範囲にわたって取り巻いているので、ハウジングと差し込み部分との間には、接続された位置で嵌め合わせコネクタ部品の一部分が係合する空間が形成されている。この空間内には、コイルバネが受容されていて、コネクタ部品と嵌め合わせコネクタ部品との間の接続を構築する際に、コネクタ部品のハウジングと空間に係合する嵌め合わせコネクタ部品の一部分との間で、コイルバネが作用し、それによってコネクタ部品と嵌め合わせコネクタ部品との間での軸方向の予負荷を生み出す。
【００１８】
コイルバネは好適には、コネクタ部品の差し込み部分を広範囲に握持する。差し込み部分はたとえばほぼ円筒状の形体を備えてよく、差し込み部分周りに巻き部を有して延伸するコイルバネで囲まれていてよい。差し込み部分が、嵌め合わせコネクタ部品の付設された差し込み部分に嵌められる場合、コネクタ部品の差し込み部分を握持するコイルバネは、圧力で圧縮されるので、軸方向のバネ力が、コネクタ部品と嵌め合わせコネクタ部品との間に作用する。
【００１９】
好適にはコイルバネは、コネクタ部品と嵌め合わせコネクタ部品との間の接続を構築するために、密着するまで負荷印加可能である。コネクタ部品が嵌め合わせコネクタ部品に完全に嵌められている場合、かつコネクタ部品と嵌め合わせコネクタ部品との間の係止が構築されている場合、コイルバネは密着するまで負荷がかけられており、係止構築の後コイルバネは僅かに再び緩み、それによってコネクタ部品と嵌め合わせコネクタ部品との間の軸方向の遊びをなくす。
【００２０】
コイルバネは好適には、ハウジングの支持部分に軸方向に支持されており、コネクタ部品と嵌め合わせコネクタ部品との間の接続を構築する際に、嵌め合わせコネクタ部品の差し込み部分の端面に作用する。それによってコイルバネは、コネクタ部品のハウジングと嵌め合わせコネクタ部品の差し込み部分との間で軸方向に作用して、接続構築の際に圧力で圧縮され、接続された位置でコネクタ部品と嵌め合わせコネクタ部品との間の軸方向の遊びをなくす。
【００２１】
接続された位置においてコイルバネは、コネクタ部品のハウジングの係止要素を、好適には嵌め合わせコネクタ部品と圧力をかけて当接させるので、コネクタ部品は、嵌め合わせコネクタ部品に対して規定の位置を占め、それによって嵌め合わせコネクタ部品に対して遊びなしに位置決めされている。接続された位置において、コネクタ部品の係止要素は好適には、嵌め合わせコネクタ部品の付設された係止凹部に係合する。この場合、コイルバネの軸方向の予負荷によって、係止要素は係止凹部の縁部と圧力をかけて当接するので、係止要素は確実に、嵌め合わせコネクタ部品と接触する。これは特に、係止要素が導電材料から成り、かつコネクタ部品と嵌め合わせコネクタ部品との間でシールド接触を構築するために使われる場合に有利となり得る。
【００２２】
係止要素を介してシールド接触を生み出すことに加えてあるいは代替的に、コイルバネは（コイルバネも）導電材料から成っていてよいので、コイルバネを介して、嵌め合わせコネクタ部品と電気接触するための（さらなる）シールド接触がもたらされる。ハウジングは好適には、導電的にかつたとえば金属圧力鋳造材料から製造されている。コイルバネも導電性の金属材料から作られていれば、コイルバネを一方ではハウジングで他方では嵌め合わせコネクタ部品で支持することによって、コイルバネを介して、コネクタ部品と嵌め合わせコネクタ部品との間で電気的シールド接触がもたらされる。
【００２３】
係止要素は、全く異なるやり方で形作られていてよい。一形態において、係止要素は、差し込み部分周りにリング状に延伸するバネ要素として形成されており、当該バネ要素は、ハウジングに固定されており、半径方向内側に向かって、差し込み部分とハウジングとの間に形成された空間の方向を指している。コネクタ部品を嵌め合わせコネクタ部品に差し込む際に、係止要素は（僅かに）撓み、コネクタ部品が接続された位置で、嵌め合わせコネクタ部品の付設された係止凹部と係止係合するので、コネクタ部品は嵌め合わせコネクタ部品と係止されている。
【００２４】
一形態において、コネクタ部品が嵌め合わせコネクタ部品と接続された位置で、ハウジングと嵌め合わせコネクタ部品との間の移行部を密閉するためのシーリング要素が、ハウジングに設けられている。シーリング要素は、たとえば半径方向にシールして実施されていてよく、ハウジングと差し込み部分との間に形成された空間に対向する、ハウジングの片側に設けられていてよい。コネクタ部品を嵌め合わせコネクタ部品に嵌合する際に、嵌め合わせコネクタ部品の一部分はシーリング要素とシール当接するので、コネクタ部品と嵌め合わせコネクタ部品との間の移行部は、防湿して密閉されている。
【００２５】
一形態において、コネクタ部品は、プッシュプル原理に従って形作られており、そのために、ハウジングに可動式に設けられた操作要素を備える。操作要素は、特にハウジングに対してスライド可能であって、係止要素に作用し、それによってコネクタ部品と嵌め合わせコネクタ部品との間の係止を解除するので、コネクタ部品は嵌め合わせコネクタ部品から取り外すことができる。
【００２６】
操作要素は特に、差し込み方向とは逆向きの操作方向で、ハウジングに対してスライド可能であってよいので、差し込み方向とは逆に操作要素を引くことによって、コネクタ部品と嵌め合わせコネクタ部品との間の係止を解除でき、その上、一動作でコネクタ部品を嵌め合わせコネクタ部品から引き抜くことができる。
【００２７】
ここで記述されるようなコネクタ部品は、（差し込み方向に対して横方向の断面で）円形であるいは角形でも実施されていてよい。それに対応して、コネクタ部品の差し込み部分と嵌め合わせコネクタ部品の差し込み部分は、円形（たとえば真円形あるいは楕円形）あるいは角形（たとえば四角形）に成形されていてよい。
【００２８】
本考案の基礎となる思想は、以下において、図で表される実施例に基づいてより詳細に説明されることになる。図に示されるのは以下である。
【図面の簡単な説明】
【００２９】
【図１】付設された嵌め合わせコネクタ部品と一緒にある、コネクタ部品の概略図である。
【図２Ａ】付設された嵌め合わせコネクタ部品と接続された位置での、コネクタ部品の一実施例の断面図である。
【図２Ｂ】嵌め合わせコネクタ部品に着設される前のコネクタ部品の断面図である。
【図３】付設された嵌め合わせコネクタ部品に着設される前のコネクタ部品のさらなる一実施例の断面図である。
【考案を実施するための形態】
【００３０】
図１は、嵌め合わせコネクタ部品２と差し込み接続されるために使われるコネクタ部品１の概略図を示している。
【００３１】
コネクタ部品１は、プッシュプル原理に従って形作られており、ハウジング１０を備え、当該ハウジング１０には、操作方向Ｂに沿ってハウジング１０に対してスライド可能なスリーブの形状の操作要素１１が設けられている。ハウジング１０に対して固着して設けられている差し込み部分１００には、差し込み穴１０１が成形されており、当該差し込み穴１０１には、嵌め合わせコネクタ部品２の付設されたカウンタ接触要素と電気接触するための電気接触要素が付設されている。
【００３２】
コネクタ部品１は、表わされた実施例では、コネクタ部品１の接触要素と接続された心線が通っているライン１６と接続されているので、コネクタ部品１を介してライン１６は、嵌め合わせコネクタ部品２に繋がることができ、当該嵌め合わせコネクタ部品２は、たとえば電気キャビネットなどの電気設備の構成部品であってよい。
【００３３】
コネクタ部品１を嵌め合わせコネクタ部品２と接続するために、コネクタ部品１は差し込み方向Ｓに嵌め合わせコネクタ部品２に嵌められるので、それによって差し込み部分１００は嵌め合わせコネクタ部品２と係合し、差し込み部分１００の差し込み穴１０１に付設された電気接触要素は、嵌め合わせコネクタ部品２の付設されたカウンタ接触要素と電気接触する。嵌め合わせコネクタ部品２と接続された位置において、コネクタ部品１は、嵌め合わせコネクタ部品２と係止されており、それによって嵌め合わせコネクタ部品２に対して機械的に固定されていて、差し込み方向Ｓとは逆に嵌め合わせコネクタ部品２から、少なくとも係止を解除することなしに、コネクタ部品１を引き抜くことができないようになっている。
【００３４】
コネクタ部品１と嵌め合わせコネクタ部品２との接続を互いに解除するために、操作要素１１は、差し込み方向Ｓとは逆の操作方向Ｂで、ハウジング１０に対してスライドすることができ、それによってコネクタ部品１と嵌め合わせコネクタ部品２との間の係止が解除され、コネクタ部品１を操作方向Ｂへの一動作で嵌め合わせコネクタ部品２から引き抜くことができる。
【００３５】
コネクタ部品１の具体的な一実施例は、図２Ａと図２Ｂの異なる断面図に表わされている。
【００３６】
表わされたコネクタ部品１では、リング状のバネの形状の係止要素１５が、ハウジング１０に設けられている。たとえば金属圧力鋳造材料（たとえばアルミニウム圧力鋳造）から作られていてよくそれで導電性があるハウジング１０は、差し込み部分１００とともに空間１０２を形成し、図２Ａに表わされているように、コネクタ部品１が嵌め合わせコネクタ部品２と接続されている場合、当該空間１０２に嵌め合わせコネクタ部品２が、差し込み部分２００によって係合している。コネクタ部品１の差し込み部分１００には差し込み穴１０１が成形されており、当該差し込み穴１０１には、ソケット接触子の形状の接触要素１２がそれぞれ１つずつ付設されている。接続された位置において、接触ピンの形状の嵌め合わせコネクタ部品２の接触要素２１は、コネクタ部品１の差し込み部分１００の差し込み穴１０１に係合して、嵌め合わせコネクタ部品２の接触要素２１がコネクタ部品１の接触要素１２と電気接触する。
【００３７】
差し込み部分１００は、表わされた実施例では、挿入部品としてハウジング１０に固定されており、電気絶縁性のある材料から作られている。接続された位置において、コネクタ部品１の差し込み部分１００は、嵌め合わせコネクタ部品２のハウジング２０の差し込み部分２００に係合するので、嵌め合わせコネクタ部品２の接触要素２１は、コネクタ部品１の接触要素１２と係合している。
【００３８】
接続された位置において、リング状のバネの形状の係止要素１５は、図２Ａから分かるように、嵌め合わせコネクタ部品２のほぼ円筒状に成形された差し込み部分２００の外周の側面にある、付設された係止凹部２０１と係合している。コネクタ部品１と嵌め合わせコネクタ部品２との間の接続はそれによって、機械的に固定されている。
【００３９】
コネクタ部品１のハウジング１０には、操作要素１１が、差し込み方向Ｓとは逆の操作方向Ｂに沿ってスライド可能に設けられている。操作要素１１はスリーブの形状を備え、ボディ１１０でハウジング１０を握持する。ボディ１１０の内部で半径方向に設けられ、操作方向Ｂを指し、かつボディ１１０内で広範囲に周回する操作部分１１１によって、操作要素１１は、操作方向Ｂに操作される際に、空間１０２に対向するハウジング１０の内側の係止要素１５に作用し、それによって係止要素１５を持ち上げて、嵌め合わせコネクタ部品２の差し込み部分２００の係止凹部２０１との係合を外すので、コネクタ部品１を操作方向Ｂに、嵌め合わせコネクタ部品２から引き抜くことができる。
【００４０】
操作要素１１の操作方向Ｂが、嵌め合わせコネクタ部品２から切り離すためにコネクタ部品１を引き抜くべき方向に相当することによって、係止の解除と嵌め合わせコネクタ部品２からの引き抜きとを一動作で行うことができる。
【００４１】
ハウジング１０の内側、つまり空間１０２に対向するハウジング１０の内周面に、周回するＯリングの形状のシーリング要素１３が設けられており、当該シーリング要素１３は、半径方向にシールするやり方で、嵌め合わせコネクタ部品２とコネクタ部品１との間の移行部を防湿して密閉するために使われる。コネクタ部品１を嵌め合わせコネクタ部品２に嵌める際に、シーリング要素１３は、嵌め合わせコネクタ部品２の差し込み部分２００に滑り上がるので、シーリング要素１３は、半径方向に押圧して差し込み部分２００と当接し、それによって防湿の移行部を作る。
【００４２】
ハウジング１０とコネクタ部品１の差し込み部分１００との間の半径方向の空間１０２内には、コイルバネ１４が設けられており、当該コイルバネ１４は、一方ではハウジング１０の支持部分１０３で、他方では嵌め合わせコネクタ部品２の差し込み部分２００の端面２０２で支持されており、コネクタ部品１が嵌め合わせコネクタ部品２に向かって軸方向に予負荷をかけるために使われる。
【００４３】
図２Ｂに表わされているように、コネクタ部品１を差し込み方向Ｓに嵌め合わせコネクタ部品２に着設させる際に、コイルバネ１４は、嵌め合わせコネクタ部品２の差し込み部分２００の端面２０２と当接するので、嵌める際にコイルバネ１４は、圧力で圧縮される。コネクタ部品１と嵌め合わせコネクタ部品２との間の完全な係止接続を構築するために、コイルバネ１４は、図２Ａに表わされているように、密着するまで負荷印加可能なので、接続構築の際にコイルバネ１４は、コネクタ部品１と嵌め合わせコネクタ部品２との間の係止が、係止要素１５と係止凹部２０１へのその係合とによって構築されるまで、最大限に圧縮され得る。
【００４４】
一方でコイルバネ１４を介して保証され得るのは、コネクタ部品１と嵌め合わせコネクタ部品２との間の接続が確実かつ完全に構築されることである。それで、コネクタ部品１と嵌め合わせコネクタ部品２との間で係止が構築されていないあるいは完全には構築されていないと、コイルバネ１４によって、コネクタ部品１が操作方向Ｂ（差し込み方向Ｓとは逆）に、嵌め合わせコネクタ部品２との係合を押し外されることになるので、コネクタ部品１と嵌め合わせコネクタ部品２との間の接続が、再び解除される。係止が完全に構築されている場合にのみ、コネクタ部品１は安全かつ堅固に、嵌め合わせコネクタ部品２の定位置に保持される。
【００４５】
その上、コイルバネ１４を介して、接続された位置で、コネクタ部品１と嵌め合わせコネクタ部品２との間の軸方向の遊びがなくなる。接続された位置において、コイルバネ１４は係止要素１５を、嵌め合わせコネクタ部品２の差し込み部分２００の係止凹部２０１の縁部２０３と圧力をかけて当接させるので、コネクタ部品１は嵌め合わせコネクタ部品２に対して遊びなしに保持される。
【００４６】
これによってたとえば、係止要素１５を介する確実なシールド接触の構築が可能になる。係止要素１５が導電材料から作られているならば、コネクタ部品１が嵌め合わせコネクタ部品２と接続されている場合に、係止要素１５を介して、ハウジング１０と嵌め合わせコネクタ部品２のハウジング２０との間のシールド接触が構築され得る。この場合、コイルバネ１４の軸方向の予負荷によって、たとえば振動でコネクタ部品１と嵌め合わせコネクタ部品２との間の接続部に荷重がかかる場合でも、弾性予負荷の下でひいては確実に電気接触が行われる。
【００４７】
付加的に、好適にはコイルバネ１４も、導電材料、特に金属材料から作られているので、コイルバネ１４を介して、かつ一方ではハウジング１０に、他方では嵌め合わせコネクタ部品２の差し込み部分２００もしくはハウジング２０にコイルバネ１４が当接することによって、コネクタ部品１のハウジング１０と嵌め合わせコネクタ部品２のハウジング２０との間にさらなるシールド接触がもたらされる。
【００４８】
コネクタ部品１でいずれにせよ利用できる空間１０２内にコイルバネ１４が受容されていることによって、コイルバネ１４は、手間をかけてコネクタ部品１を構成し直す必要がなく、その上、現存する嵌め合わせコネクタ部品２に適合する。
【００４９】
図２Ａと図２Ｂで表わされる実施例では、コネクタ部品１の接触要素１２は、ソケット接触子として形作られている。それに対して図３で表わされる実施例では、コネクタ部品１の接触要素１２は、ピン接触子として形成されている。コネクタ部品１の差し込み部分１００は、嵌め合わせコネクタ部品２の差し込み部分２００を挿入するためのソケット穴を形成しているので、コネクタ部品１を嵌めることによって、接触要素１２は、嵌め合わせコネクタ部品２のソケット接触子の形状の接触要素２１と係合できる。
【００５０】
その他に、図３に記載の実施例は、特にコネクタ部品１の差し込み部分１００とハウジング１０との間の空間１０２内に設けられたコイルバネ１４については、図２Ａと図２Ｂとに基づいて上で表わされた実施例と機能的に同一であるので、これについての実施形態を参照すること。
【００５１】
本考案の基礎となる思想は、上で叙述された実施例に限定されるものではなく、基本的に全く別種のやり方でも現実化できる。
【００５２】
基本的に、ここで記述されたようなコイルバネは、プッシュプルコネクタである別のコネクタ部品にも使用できる。
【００５３】
記述されたようなコネクタ部品を介して、電気接触子を互いに接続できる。しかし、別の接触子、たとえば空気圧式あるいは油圧式の接触子を、そのようなコネクタ部品を介して繋ぐことも、考えられ得るし、可能である。
【符号の説明】
【００５４】
１  コネクタ部品
１０  ハウジング
１００  差し込み部分
１０１  差し込み穴
１０２  空間
１０３  支持部分
１１  操作要素（スリーブ）
１１０  ボディ
１１１  操作部分
１２  接触要素
１３  シーリング要素
１４  コイルバネ
１５  係止要素
１６  ライン
２  嵌め合わせコネクタ部品
２０  ハウジング
２００  差し込み部分
２０１  係止窪み部
２０２  端面側
２０３  縁部
２１  接触要素
Ｂ  操作方向
Ｓ  差し込み方向
【図１】
0003219563.tif 000003
【図２Ａ】
0003219563.tif 000004
【図２Ｂ】
0003219563.tif 000005
【図３】
0003219563.tif 000006